【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
下記式：
【化８８】
2009541548.tif 000001
〔式中、
ａ、ｂ、ｃ、ｄ、ｅ及びｆは、０〜２００、特に０、１、２又は３であり；
Ａｒ１及びＡｒ１′は、互いに独立して、下記式：
【化８９】
2009541548.tif 000002
の基であり、
Ａｒ２、Ａｒ２′、Ａｒ３、Ａｒ３′、Ａｒ４及びＡｒ４′は、互いに独立して、下記式：
【化９０】
2009541548.tif 000003
の基であり、
ｐは、可能であれば、０、１、２、３又は４を表し、
Ｒ１及びＲ２は、同一又は異なっていてもよく、水素、場合によりＥで置換されていてもよい及び／若しくはＤで中断されていてもよい、Ｃ１〜Ｃ２５アルキル基、アルケニル基、アルキニル基、Ｃ１〜Ｃ４アルキルで１〜３回置換されていることができるアリル基；Ｃ１〜Ｃ８アルキル、Ｃ１〜Ｃ８チオアルコキシ若しくはＣ１〜Ｃ８アルコキシで１〜３回置換されていることができるシクロアルキル基；又はＣ１〜Ｃ４アルキル、ハロゲン、ニトロ若しくはシアノで１〜３回置換されていることができるフェニルにより１若しくは２回縮合されていることができるシクロアルキル基；シクロアルケニル基；ケトン若しくはアルデヒド基、エステル基、カルバモイル基、シリル基、シロキサニル基、Ａｒ１０又は−ＣＲ５Ｒ６−（ＣＨ２）ｇ−Ａｒ１０から選択され、ここで 
Ｒ５及びＲ６は、互いに独立して、水素、フッ素、シアノ、又はフッ素、塩素若しくは臭素で置換されていることができるＣ１〜Ｃ４アルキル、又はＣ１〜Ｃ４アルキルで１〜３回置換されていることができるフェニルを表し、
Ａｒ１０は、場合よりＧで置換されていてもよい、アリール又はヘテロアリール、特にＣ１〜Ｃ８アルキル、Ｃ１〜Ｃ８チオアルコキシ及び／若しくはＣ１〜Ｃ８アルコキシで１〜３回置換されていることができるフェニル又は１−若しくは２−ナフチルを表し、ｇは、０、１、２、３又は４を表し、
Ｒ３は、１つの基の内で同一又は異なっていてもよく、場合によりＥで置換されていてもよい及び／若しくはＤで中断されていてもよいＣ１〜Ｃ２５アルキル、場合によりＧで置換されていてもよいＣ６〜Ｃ２４アリール、場合によりＧで置換されていてもよいＣ２〜Ｃ２０ヘテロアリール、場合によりＥで置換されていてもよい及び／若しくはＤで中断されていてもよいＣ１〜Ｃ１８アルコキシ、アラルキルのａｒ（＝アリール）が場合によりＧで置換されていてもよいＣ７〜Ｃ２５アラルキル、又は−ＣＯ−Ｒ２８から選択されるか、或いは互いに隣接する２つ以上の基Ｒ３は、環を形成し；
Ｒ４、Ｒ４′、Ｒ７及びＲ７′は、互いに独立して、水素、場合によりＥで置換されていてもよい及び／若しくはＤで中断されていてもよいＣ１〜Ｃ２５アルキル、場合によりＧで置換されていてもよいＣ６〜Ｃ２４アリール、場合によりＧで置換されていてもよいＣ２〜Ｃ２０ヘテロアリール、場合によりＥで置換されていてもよい及び／若しくはＤで中断されていてもよいＣ１〜Ｃ１８アルコキシ、アラルキルのａｒ（＝アリール）が場合によりＧで置換されていてもよいＣ７〜Ｃ２５アラルキル、又は−ＣＯ−Ｒ２８を表すか、或いはＲ４及びＲ４′は、環を形成し；
Ｄは、−ＣＯ−；−ＣＯＯ−；−Ｓ−；−ＳＯ−；−ＳＯ２−；−Ｏ−；−ＮＲ２５−；−ＣＲ２３＝ＣＲ２４−；又は−Ｃ≡Ｃ−であり；
Ｅは、−ＯＲ２９；−ＳＲ２９；−ＮＲ２５Ｒ２６；−ＣＯＲ２８；−ＣＯＯＲ２７；−ＣＯＮＲ２５Ｒ２６；−ＣＮ；又はハロゲンであり、Ｇは、Ｅ、Ｄで中断されていてもよいＣ１〜Ｃ１８アルキル、又はＥで置換されている及び／若しくはＤで中断されているＣ１〜Ｃ１８アルコキシであり、ここで 
Ｒ２３、Ｒ２４、Ｒ２５及びＲ２６は、互いに独立して、Ｈ；Ｃ６〜Ｃ１８アリール；Ｃ１〜Ｃ１８アルキル若しくはＣ１〜Ｃ１８アルコキシで置換されているＣ６〜Ｃ１８アリール；Ｃ１〜Ｃ１８アルキル；又は−Ｏ−で中断されているＣ１〜Ｃ１８アルキルであり；
Ｒ２７及びＲ２８は、互いに独立して、Ｈ；Ｃ６〜Ｃ１８アリール；Ｃ１〜Ｃ１８アルキル若しくはＣ１〜Ｃ１８アルコキシで置換されているＣ６〜Ｃ１８アリール；Ｃ１〜Ｃ１８アルキル；又は−Ｏ−で中断されているＣ１〜Ｃ１８アルキルであり、
Ｒ２９は、Ｈ；Ｃ６〜Ｃ１８アリール；Ｃ１〜Ｃ１８アルキル若しくはＣ１〜Ｃ１８アルコキシで置換されているＣ６〜Ｃ１８アリール；Ｃ１〜Ｃ１８アルキル；又は−Ｏ−で中断されているＣ１〜Ｃ１８アルキルであり、
Ｒ１０９及びＲ１１０は、互いに独立して、Ｈ、Ｃ１〜Ｃ１８アルキル、Ｅで置換されている及び／若しくはＤで中断されているＣ１〜Ｃ１８アルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されている及び／若しくはＤで中断されているＣ１〜Ｃ１８アルコキシ、又はＣ７〜Ｃ２５アラルキルであるか、或いは
Ｒ１０９及びＲ１１０は、一緒になって、式：＝ＣＲ１００Ｒ１０１の基を形成し、ここで、
Ｒ１００及びＲ１０１は、互いに独立して、Ｈ、Ｃ１〜Ｃ１８アルキル、Ｅで置換されている及び／若しくはＤで中断されているＣ１〜Ｃ１８アルキル、Ｃ６〜Ｃ２４アリール、Ｇで置換されているＣ６〜Ｃ２４アリール、又はＣ２〜Ｃ２０ヘテロアリール、又はＧで置換されているＣ２〜Ｃ２０ヘテロアリールであるか、或いは
Ｒ１０９及びＲ１１０は、一緒になって、場合によりＣ１〜Ｃ１８アルキル、Ｅで置換されている及び／若しくはＤで中断されているＣ１〜Ｃ１８アルキル、Ｃ６〜Ｃ２４アリール、Ｇで置換されているＣ６〜Ｃ２４アリール、Ｃ２〜Ｃ２０ヘテロアリール、Ｇで置換されているＣ２〜Ｃ２０ヘテロアリール、Ｃ２〜Ｃ１８アルケニル、Ｃ２〜Ｃ１８アルキニル、Ｃ１〜Ｃ１８アルコキシ、Ｅで置換されている及び／若しくはＤで中断されているＣ１〜Ｃ１８アルコキシ、Ｃ７〜Ｃ２５アラルキル又は−Ｃ（＝Ｏ）−Ｒ１８で置換されていることができる、５員又は６員環を形成し、
Ｒ１１１は、Ｈ、Ｃ１〜Ｃ２５アルキル基、Ｃ４〜Ｃ１８シクロアルキル基、互いに近接していない１個以上の炭素原子を−Ｏ−、−Ｓ−若しくは−Ｃ（＝Ｏ）−Ｏ−に代えることができる及び／又は１個以上の水素原子をＦに代えることができるＣ１〜Ｃ２５アルコキシ基、Ｃ６〜Ｃ２４アリール基、又は１個以上の炭素原子をＯ、Ｓ若しくはＮに代えることができる及び／又は１つ以上の非芳香族基Ｒ１１１で置換することができるＣ６〜Ｃ２４アリールオキシ基であり；
ｍは、それぞれの場合に同一又は異なっていることができ、０、１、２又は３、特に０、１又は２、とりわけ０又は１であり；
Ｘ１は、水素原子又はシアノ基であるが、
但し、Ａｒ１及びＡｒ１′が下記式：
【化９３】
2009541548.tif 000004
の基である場合、ａ及びｄは０ではない〕
で示される（反復）単位を含むポリマー。
【請求項２】
Ｒ１及びＲ２が、互いに独立して、水素、場合により１個以上の酸素原子で中断されていることができるＣ１〜Ｃ２５アルキル、Ｃ１〜Ｃ８アルキル及び／若しくはＣ１〜Ｃ８アルコキシで１〜３回置換されていることができるＣ５〜Ｃ１２シクロアルキル、特にシクロヘキシル、又はＣ１〜Ｃ４アルキル、ハロゲン、ニトロ若しくはシアノで１〜３回置換されていることができるフェニルにより、Ｃ１〜Ｃ８アルキル及び／若しくはＣ１〜Ｃ８アルコキシで１〜３回置換されていることができるフェニル又は１−若しくは２−ナフチルにより、１又は２回縮合されていることができるＣ５〜Ｃ１２シクロアルキル、特にシクロヘキシル、又は−ＣＲ５Ｒ６−（ＣＨ２）ｇ−Ａｒ１０から選択され、ここで、Ｒ５及びＲ６が、水素を表し、Ａｒ１０が、Ｃ１〜Ｃ８アルキル及び／若しくはＣ１〜Ｃ８アルコキシで１〜３回置換されていることができるフェニル又は１−若しくは２−ナフチルを表し、そしてｇが、０又は１を表す、請求項１記載のポリマー。
【請求項３】
ポリマーが、下記式：
【化１１０】
2009541548.tif 000005
【化１１１】
2009541548.tif 000006
〔式中、
Ａは、式Ｉの反復単位であり、
ｖは、０．９９５〜０．００５であり、
ｗは、０．００５〜０．９９５であり、
−ＣＯＭ１は、下記式：
【化１１２】
2009541548.tif 000007
〔式中、Ｒ７及びＲ７´は請求項１で定義されたとおりであり、
Ｒ４４及びＲ４１は、水素、Ｃ１〜Ｃ１８アルキル又はＣ１〜Ｃ１８アルコキシであり、
Ｒ４５は、Ｈ、Ｃ１〜Ｃ１８アルキル又はＥで置換されている及び／若しくはＤで中断されているＣ１〜Ｃ１８アルキル、特に−Ｏ−で中断されているＣ１〜Ｃ１８アルキルであり、
Ｄ及びＥは、請求項１で定義されたとおりである〕の反復単位から選ばれ、
−ＣＯＭ２は、下記式：
【化１１３】
2009541548.tif 000008
〔式中、Ｒ１１６及びＲ１１７は、互いに独立して、Ｈ、場合によりＯで中断されていることができるＣ１〜Ｃ１８アルキル、又は場合によりＯで中断されていることができるＣ１〜Ｃ１８アルコキシであり、
Ｒ１１９及びＲ１２０は、互いに独立して、Ｈ、場合によりＯで中断されていることができるＣ１〜Ｃ１８アルキルであるか、或いは
Ｒ１１９及びＲ１２０は、一緒になって、式：＝ＣＲ１００Ｒ１０１の基を形成し、ここで、
Ｒ１００及びＲ１０１は、互いに独立して、Ｈ、Ｃ1〜Ｃ12アルキルであるか、或いは
Ｒ１１９及びＲ１２０は、一緒になって、場合によりＣ1〜Ｃ１８アルキルで置換されていることができる５員又は６員環を形成する〕の基である〕
の反復単位を含むコポリマーである請求項１記載のポリマー。
【請求項４】
ポリマーが、下記式：
【化１１４】
2009541548.tif 000009
〔式中、
Ａ、ＣＯＭ１及びＣＯＭ２は、請求項３で定義されたとおりであり、
ｏは、１であり、
ｐは、０又は１であり、
ｑは、０．００５〜１であり、
ｒは、０又は１であり、
ｓは、０又は１であり、
ｔは、０．９９５〜０である〕
のコポリマーである請求項３記載のポリマー。
【請求項５】
Ａｒ１及びＡｒ１′が同一であり、下記式：
【化９５】
2009541548.tif 000010
の基であり、
Ａｒ２、Ａｒ２′、Ａｒ３、Ａｒ３′、Ａｒ４及びＡｒ４′が、互いに独立して、下記式：
【化９６】
2009541548.tif 000011
〔式中、ｐは、０、１又は２を表し、Ｒ３は、１つの基の内で同一又は異なっていてもよく、場合によりＥで置換されていてもよい及び／若しくはＤで中断されていてもよいＣ１〜Ｃ２５アルキル、又は場合によりＥで置換されていてもよい及び／若しくはＤで中断されていてもよいＣ１〜Ｃ１８アルコキシから選択され；
Ｒ４は、場合によりＥで置換されていてもよい及び／若しくはＤで中断されていてもよいＣ６〜Ｃ２５アルキル、場合によりＧで置換されていてもよい、フェニル、ナフチル若しくはビフェニリルのようなＣ６〜Ｃ１４アリール、場合によりＥで置換されていてもよい及び／若しくはＤで中断されていてもよいＣ１〜Ｃ２５アルコキシ、又はａｒが場合によりＧで置換されていてもよいＣ７〜Ｃ１５アラルキルであり、
Ｄは、−ＣＯ−、−ＣＯＯ−、−Ｓ−、−ＳＯ−、−ＳＯ２−、−Ｏ−、−ＮＲ２５−であり、ここでＲ２５は、メチル、エチル、ｎ−プロピル、イソ−プロピル、ｎ−ブチル、イソブチル又はsec−ブチルのようなＣ１〜Ｃ１２アルキルであり、
Ｅは、−ＯＲ２９；−ＳＲ２９；−ＮＲ２５Ｒ２５；−ＣＯＲ２８；−ＣＯＯＲ２７；−ＣＯＮＲ２５Ｒ２５；又は−ＣＮであり；ここでＲ２５、Ｒ２７、Ｒ２８及びＲ２９は、互いに独立して、メチル、エチル、ｎ−プロピル、イソ−プロピル、ｎ−ブチル、イソブチル、sec−ブチル、ヘキシル、オクチル若しくは２−エチル−ヘキシルのようなＣ１〜Ｃ１２アルキル、又はフェニル、ナフチル若しくはビフェニリルのようなＣ６〜Ｃ１４アリールであり、 
Ｇは、Ｅと同じ選択肢を有するか、又はメチル、エチル、ｎ−プロピル、イソ−プロピル、ｎ−ブチル、イソブチル、sec−ブチル、ヘキシル、オクチル若しくは２−エチルヘキシルのような、Ｃ１〜Ｃ１８アルキル、特にＣ１〜Ｃ１２アルキルである〕
で示される基である、請求項１〜４いずれか記載のポリマー。
【請求項６】
下記式：
【化９７】
2009541548.tif 000012
が、異なっていてもよいが、好ましくは同一であり、下記式：
【化９８】
2009541548.tif 000013
〔式中、下記：
【化９９】
2009541548.tif 000014
は、ジケトピロロピロール骨格への結合を示し、Ｒ４は、請求項３で定義されたとおりであり、そしてＲ４′は、Ｒ４の意味を有する〕
で示される基である、請求項５記載のポリマー。
【請求項７】
ポリマーが、下記式：
【化１００】
2009541548.tif 000015
〔式中、ａ、ｂ、ｃ、ｄ、ｅ、ｆ、Ｒ１、Ｒ２、Ａｒ１、Ａｒ１′、Ａｒ２、Ａｒ２′、Ａｒ３、Ａｒ３′、Ａｒ４及びＡｒ４′は、請求項１で定義されたとおりであり、
ｈは、１であり、そして 
Ａｒ５は、下記式：
【化１０１】
2009541548.tif 000016
の基であり、
ここでＲ７及びＲ７′は請求項１で定義されたとおりである〕
で示される反復単位を含むか、或いは
ポリマーが、下記式：
【化１０２】
2009541548.tif 000017
〔式中、第１反復単位は、請求項１記載の反復単位であり、
分岐単位は、２つを超える架橋部位を有する単位であり、そして、
ｑ及びｔは整数である〕
で示される構造を有する、請求項１〜６のいずれか１項記載のポリマー。
【請求項８】
下記式：
【化１０３】
2009541548.tif 000018
2009541548.tif 000019
2009541548.tif 000020
〔式中、
Ｒ１及びＲ２は、互いに独立して、Ｃ１〜Ｃ２５アルキルであり、
Ｒ３及びＲ３′は、互いに独立して、場合により１個以上の酸素原子で中断されていてもよいＣ６〜Ｃ２５アルキルであり、
Ｒ４及びＲ４′は、互いに独立して、場合により１個以上の酸素原子で中断されていてもよいＣ６〜Ｃ２５アルキルであり、そして 
Ｒ７及びＲ７′は、互いに独立して、場合により１個以上の酸素原子で中断されていてもよいＣ６〜Ｃ２５アルキルである〕
で示される反復単位を含む、請求項１〜７のいずれか１項記載のポリマー。
【請求項９】
請求項１記載のポリマーを含む半導体デバイス、特に、ダイオード、フォトダイオード、有機電界効果トランジスタ及び／若しくは太陽電池、又はダイオード及び／若しくはフォトダイオード及び／若しくは有機電界効果トランジスタ及び／若しくは太陽電池を含むデバイス。
【請求項１０】
半導体デバイスが、この順番で下記：
（ａ）陰極（電極）、
（ｂ）アルカリハロゲン化物、特にフッ化リチウムのような任意の遷移層、
（ｃ）光活性層、
（ｄ）任意の平滑層、
（ｅ）陽極（電極）、
（ｆ）基板、
〔光活性層は、請求項１記載のポリマーを含む〕
を含む太陽電池（有機光起電性デバイス）である、請求項９記載の半導体デバイス。
【請求項１１】
半導体デバイスが、
基板に配置された複数の導電性ゲート電極と；
前記導電性ゲート電極に配置されたゲート絶縁体層と；
それぞれの前記セットがそれぞれの前記ゲート電極と一直線になるように、前記絶縁体層に配置された導電性ソース及びドレイン電極の複数のセットと；
前記ゲート電極を実質的に覆う前記絶縁体層におけるソースとドレインの電極の間のチャンネルに配置された有機半導体層とを含み、
前記有機半導体層が、請求項１記載のポリマー又は請求項１記載のポリマーを含有する混合物を含む 
薄膜トランジスタデバイスである、請求項９記載の半導体デバイス。
【請求項１２】
有機半導体デバイスを調製する方法であって、有機溶媒中の請求項１記載のポリマーの溶液及び／又は分散体を、適切な基板に適用すること及び溶媒を除去することを含む方法。
【請求項１３】
下記式：
【化１０４】
2009541548.tif 000021
〔式中、
Ｂ及びＣは、互いに独立して、場合により縮合されている芳香族又は芳香族複素環であり、
ａ、ｂ、ｃ、ｄ、ｅ、ｆ、Ｒ１、Ｒ２、Ａｒ１、Ａｒ１′、Ａｒ２、Ａｒ２′、Ａｒ３、Ａｒ３′、Ａｒ４及びＡｒ４′は、請求項１で定義されたとおりであり、そしてＸは、ＺｎＸ１２、−ＳｎＲ２０７Ｒ２０８Ｒ２０９であり、ここでＲ２０７、Ｒ２０８及びＲ２０９は、同一又は異なり、Ｈ又はＣ１〜Ｃ６アルキルであり、２つのラジカルは、場合により共通の環を形成し、これらのラジカルは、場合により分岐鎖又は非分岐鎖であり、Ｘ１２は、ハロゲン原子、とりわけＩ若しくはＢｒ；又は−ＯＳ（Ｏ）２ＣＦ３、−ＯＳ（Ｏ）２−アリールであり、特に、下記：
【化１０５】
2009541548.tif 000022
−ＯＳ（Ｏ）２ＣＨ３、−Ｂ（ＯＨ）２、−Ｂ（ＯＹ１）２、下記：
【化１０６】
2009541548.tif 000023
−ＢＦ４Ｎ又は−ＢＦ４Ｋであり、ここで、Ｙ１は、それぞれの場合に独立して、Ｃ１〜Ｃ１０アルキル基であり、そしてＹ２は、それぞれの場合に独立して、Ｃ２〜Ｃ１０アルキレン基であり、例えば、−ＣＹ３Ｙ４−ＣＹ５Ｙ６−又は−ＣＹ７Ｙ８−ＣＹ９Ｙ１０−ＣＹ１１Ｙ１２−であり、ここで、Ｙ３、Ｙ４、Ｙ５、Ｙ６、Ｙ７、Ｙ８、Ｙ９、Ｙ１０、Ｙ１１及びＹ１２は、互いに独立して、水素又はＣ１〜Ｃ１０アルキル基であり、特に−Ｃ（ＣＨ３）２Ｃ（ＣＨ３）２−又は−Ｃ（ＣＨ３）２ＣＨ２Ｃ（ＣＨ３）２−であるが、
但し、Ａｒ１及びＡｒ１′が下記式：
【化１０９】
2009541548.tif 000024
の基である場合、ａ及びｄは０ではない〕
で示されるモノマー。
【請求項１４】
電荷転送、半導体、導電性、光伝導性、発光材料、表面改質材料、電池の電極材、アラインメント層として、又はＯＦＥＴ、ＩＣ、ＴＦＴ、ディスプレイ、ＲＦＩＴＤタグ、エレクトロ−若しくはフォトルミネセンスデバイス、ディスプレイのバックライト、光起電性若しくはセンサデバイス、電荷注入層、ショットキーダイオード、メモリデバイス（例えば、ＦｅＦＥＴ）、平坦化層、帯電防止剤、伝導性基板若しくはパターン、光伝導体、若しくは電子写真用途（記録）における、請求項１〜７のいずれか１項記載のポリマーの使用。
【請求項１５】
下記式：
【化１１５】
2009541548.tif 000025
〔式中、Ａ、ＣＯＭ１及びＣＯＭ２は、請求項３で定義されているとおりである〕のポリマーの調整方法であって、
前記調整方法は、二ハロゲン化物、例えば二臭化物又は二塩化物、特に下記式：
【化１１６】
2009541548.tif 000026
に対応する二臭化物のような二ハロゲン化物を、下記式：
【化１１７】
2009541548.tif 000027
〔式中、
Ｘ１１は、それぞれの場合に独立して、−Ｂ（ＯＨ）２、−Ｂ（ＯＹ１）２、又は下記：
【化１１８】
2009541548.tif 000028
〔式中、Ｙ１は、それぞれの場合に独立して、Ｃ１〜Ｃ１０アルキル基であり、そしてＹ２は、それぞれの場合に独立して、Ｃ２〜Ｃ１０アルキレン基であり、例えば、−ＣＹ３Ｙ４−ＣＹ５Ｙ６−又は−ＣＹ７Ｙ８−ＣＹ９Ｙ１０−ＣＹ１１Ｙ１２−であり、ここで、Ｙ３、Ｙ４、Ｙ５、Ｙ６、Ｙ７、Ｙ８、Ｙ９、Ｙ１０、Ｙ１１及びＹ１２は、互いに独立して、水素又はＣ１〜Ｃ１０アルキル基であり、特に−Ｃ（ＣＨ３）２Ｃ（ＣＨ３）２−又は−Ｃ（ＣＨ３）２ＣＨ２Ｃ（ＣＨ３）２−である〕
で示される等モル量のジボロン酸又はジボロネートと、Ｐｄ及びトリフェニルホスフィンの触媒作用下で反応させる調整方法。
【請求項１６】
下記式Ｘ−Ａ−Ｘで表されるモノマーであって、
Ａは、下記式：
【化１１９】
2009541548.tif 000029
の基であり、
Ｘは、ハロゲン、特に、Ｂｒであり、
下記式：
【化１２０】
2009541548.tif 000030
は、異なっていてもよいが、好ましくは同一であり、
下記式：
【化１２１】
2009541548.tif 000031
〔式中、下記：
【化１２２】
2009541548.tif 000032
は、ジケトピロロピロール骨格への結合を示し、Ｒ４は、請求項５で定義されたとおりであり、そしてＲ４′は、Ｒ４の意味を有し、Ｒ１とＲ２は請求項１で定義された通りである〕
で示される基であるモノマー。
【請求項１７】
Ａが、下記式：
【化１２３】
2009541548.tif 000033
2009541548.tif 000034
〔式中、
Ｒ１及びＲ２は、互いに独立して、Ｃ１〜Ｃ２５アルキルであり、
Ｒ４は、互いに独立して、場合により１個以上の酸素原子で中断されていてもよいＣ６〜Ｃ２５アルキルである〕
である請求項１６記載のモノマー。